(57)【要約】【課題】デジタルテレビ受信機の画面に表示するＶＯＤ操作情報を、ＶＯＤサービスプロバイダ毎に変更可能な表示方法を提供する。【解決手段】デジタルテレビ受信機１００のＨＴＭＬブラウザ１０２は、Ｗｅｂサーバ６００にアクセスする際に、デジタルテレビ受信機１００の端末識別情報を通知する。Ｗｅｂサーバ６００は、その端末識別情報に基づき、デジタルテレビ受信機１００に適したＶＯＤ操作情報１２０を記述したＨＴＭＬコンテンツを生成してデジタルテレビ受信機１００に送信する。ＨＴＭＬブラウザ１０２は、受信したＶＯＤ操作情報のＨＴＭＬコンテンツを解釈し、デジタルテレビ受信機１００の画面に表示する。【選択図】図１
2007166365.tif 000002
【特許請求の範囲】
【請求項１】
ＶＯＤ（Ｖｉｄｅｏ Ｏｎ Ｄｅｍａｎｄ）映像配信機能を備えたＶＯＤ配信センタ、及びＶＯＤ操作情報の表示データを提供するＷｅｂサーバと共にＶＯＤサービスシステムを構成するデジタルテレビ受信機の画面上にＶＯＤ操作情報を表示する方法であって、
前記デジタルテレビ受信機は、
（ａ）前記Ｗｅｂサーバに対して、前記デジタルテレビ受信機の端末識別番号を通知すると共に、前記Ｗｅｂサーバから、前記端末識別情報に対応したＶＯＤ操作情報の表示データを取得し、
（ｂ）取得した前記ＶＯＤ操作情報の表示データを解釈して、画面上に表示する
ことを特徴とするＶＯＤ操作情報の表示方法。
【請求項２】
前記端末識別番号の通知と前記ＶＯＤ操作情報の表示データの取得、及び取得した前記ＶＯＤ操作情報の表示データの解釈と画面への表示は、前記デジタルテレビ受信機に備えられたＨＴＭＬ（Ｈｙｐｅｒ Ｔｅｘｔ Ｍａｒｋｕｐ Ｌａｎｇｕａｇｅ）ブラウザを用いて行うことを特徴とする請求項１に記載のＶＯＤ操作情報の表示方法。
【請求項３】
（ｃ）前記デジタルテレビ受信機に備えられたＶＯＤサービス受信ミドルウェアは、ＶＯＤサービスの映像再生状態を前記ＨＴＭＬブラウザに通知し、
（ｄ）前記ＨＴＭＬブラウザは、前記ＶＯＤ操作情報の表示データに記述されたスクリプト言語の機能を用いて、前記映像再生状態に応じたアイコン情報を、前記デジタルテレビ受信機の画面上に表示する
ことを特徴とする請求項２に記載のＶＯＤ操作情報の表示方法。
【請求項４】
前記ＶＯＤ操作情報の表示データには、前記ＶＯＤサービスで利用可能な操作に関する情報が記述されており、
（ｅ）前記ＨＴＭＬブラウザは、前記デジタルテレビ受信機の画面に、前記ＶＯＤサービスで利用可能な操作方法を表示するとともに、前記ＶＯＤサービス受信ミドルウェアに対して、前記ＶＯＤサービスで利用可能な操作に関する情報を通知し、
（ｆ）前記ＶＯＤサービス受信ミドルウェアは、前記ＶＯＤサービスで利用可能な操作に関する情報に基づき、前記ＶＯＤ配信センタに対して、ＶＯＤ映像操作を実行する
ことを特徴とする請求項２に記載のＶＯＤ操作情報の表示方法。
【請求項５】
ＶＯＤ映像配信機能を備えたＶＯＤ配信センタ、及びＶＯＤ操作情報の表示データを提供するＷｅｂサーバと共にＶＯＤサービスシステムを構成するデジタルテレビ受信機であって、
（ａ）画面の表示を制御する画面表示制御ソフトと、
（ｂ）通信網を介し、前記ＶＯＤ配信センタ及び前記Ｗｅｂサーバとの間でデータの転送を行う通信ソフトと、
（ｃ）前記Ｗｅｂサーバにデジタルテレビ受信機の端末識別情報を通知すると共に、前記Ｗｅｂサーバから取得したＶＯＤ操作情報の表示データを解釈し、前記画面に表示するＨＴＭＬブラウザと、
（ｄ）ＶＯＤサービスの映像コンテンツの再生状態を管理するＶＯＤサービス受信ミドルウェアとを備え、
これらのソフトウェアによってハードウェアを制御することにより、前記画面上にＶＯＤ操作情報を表示することを特徴とするデジタルテレビ受信機。
【請求項６】
（ｅ）前記ＶＯＤサービス受信ミドルウェアは、ＶＯＤサービスの映像再生状態を前記ＨＴＭＬブラウザに通知し、
（ｆ）前記ＨＴＭＬブラウザは、前記ＶＯＤ操作情報の表示データに記述されたスクリプト言語の機能を用いて、前記映像再生状態に応じたアイコン情報を、前記デジタルテレビ受信機の画面上に表示する
ことを特徴とする請求項５に記載のデジタルテレビ受信機。
【請求項７】
前記ＶＯＤ操作情報の表示データには、前記ＶＯＤサービスで利用可能な操作に関する情報が記述されており、
（ｇ）前記ＨＴＭＬブラウザは、前記デジタルテレビ受信機の画面に、前記ＶＯＤサービスで利用可能な操作方法を表示するとともに、前記ＶＯＤサービス受信ミドルウェアに対して、前記ＶＯＤサービスで利用可能な操作に関する情報を通知し、
（ｈ）前記ＶＯＤサービス受信ミドルウェアは、前記ＶＯＤサービスで利用可能な操作に関する情報に基づき、前記ＶＯＤ配信センタに対して、ＶＯＤ映像操作を実行する
ことを特徴とする請求項５に記載のデジタルテレビ受信機。
【発明の詳細な説明】
【技術分野】
【０００１】
本発明は、ＶＯＤ（Ｖｉｄｅｏ Ｏｎ Ｄｅｍａｎｄ）サービスに対応したデジタルテレビ受信機の画面上にＶＯＤサービスの利用に必要な操作情報を表示する方法、及びその方法を採用したデジタルテレビ受信機に関する。
【背景技術】
【０００２】
近年、ＡＤＳＬ(Ａｓｙｍｍｅｔｒｉｃ Ｄｉｇｉｔａｌ Ｓｕｂｓｃｒｉｂｅｒ Ｌｉｎｅ)、ＣＡＴＶ、ＦＴＴＨ(Ｆｉｂｅｒ Ｔｏ Ｔｈｅ Ｈｏｍｅ)に代表される広帯域なインターネット接続サービスの普及に伴い、Ｗｅｂやメールなどの文字・画像ベースのコンテンツに加えて、音声、映像などのメディアリッチなコンテンツの流通が本格化している。なかでも映像をネットワーク経由で配信することで、オンデマンドで映像を視聴可能なＶＯＤサービスは、従来のテレビ放送視聴をベースにしたライフスタイルを変える可能性があり、非常に期待されるサービスである。
【０００３】
デジタルテレビ受信機にＶＯＤサービス受信機能を搭載する上で、ＶＯＤの視聴操作を画面上に表示する必要があり、ＶＯＤサービスでは、映像コンテンツを提供するＶＯＤプロバイダがデジタルテレビ受信機に表示する画面をデザインする。
【０００４】
従来のデジタルテレビ受信機では、バナーやメニューといった画面上の表示情報は、デジタルテレビ本体の不揮発性メモリに格納されたデータを読み出して表示していた。このため、放送局が異なっても、同じデザインの画面情報を表示することしか出来なかったが、テレビ放送では、放送局が異なっても、同じ操作体系を用いるため、従来は問題が発生しなかった。
【０００５】
しかし、ＶＯＤサービスの場合、ＶＯＤサービスプロバイダによって、操作体系が異なる場合がある。例えば、早送り、早戻しなどのトリックプレーの可否、あるいは早送りの倍速を何段階まで実行可能とするかなどのパラメータは、ＶＯＤサービスプロバイダ毎に異なる。したがって、ＶＯＤサービスに対応したデジタルテレビ受信機は、ＶＯＤサービス毎に異なる画面情報を表示する機能が必要となる。
【０００６】
操作パネルのデジタルテレビ受信機への表示に関し、特許文献１に記載の手法では、操作ガイドのデータをＢＭＬ（Ｂｒｏａｄｃａｓｔ Ｍａｒｋｕｐ Ｌａｎｇｕａｇｅ）などのマークアップ記述言語によって記述し、ＢＭＬブラウザなどのブラウジング処理手段によって、操作ガイドデータを読み出して、デジタルテレビの画面上に表示する技術が示されている。この文献に記載の技術は、さらにデジタルテレビ放送のダウンロードサービス（エンジニアリングスロット）によるダウンロードを受信することによって、操作ガイドデータを追加・変更することが可能である。
【特許文献１】特開２００３―３０４４６７号公報
【発明の開示】
【発明が解決しようとする課題】
【０００７】
しかしながら、上述の特許文献１に記載の方法では、データ放送によって、一律に操作ガイドデータをダウンロードするため、画面に表示する情報をＶＯＤサービスプロバイダ毎に変更することができない。ＶＯＤサービスにおいては、各ＶＯＤサービスプロバイダの操作体系（早送り、巻戻しなど）に応じて、画面に表示する情報を柔軟に変更することが必要である。更に、ユーザのＶＯＤ操作によって、映像が早送りや巻戻し状態になったときには、それらの映像再生状態を示すアイコン情報をデジタル画面上に表示できる機能も求められる。
【０００８】
本発明は上記課題に鑑み、画面上に表示するＶＯＤ操作情報を、ＶＯＤサービスプロバイダ毎に変更できる表示方法を提供することを目的とする。
【課題を解決するための手段】
【０００９】
上記の目的を達成するために、本発明のＶＯＤ操作情報の表示方法は、
ＶＯＤ（Ｖｉｄｅｏ Ｏｎ Ｄｅｍａｎｄ）映像配信機能を備えたＶＯＤ配信センタ、及びＶＯＤ操作情報の表示データを提供するＷｅｂサーバと共にＶＯＤサービスシステムを構成するデジタルテレビ受信機の画面上にＶＯＤ操作情報を表示する方法であって、
前記デジタルテレビ受信機は、
（ａ）前記Ｗｅｂサーバに対して、前記デジタルテレビ受信機の端末識別番号を通知すると共に、前記Ｗｅｂサーバから、前記端末識別情報に対応したＶＯＤ操作情報の表示データを取得し、
（ｂ）取得した前記ＶＯＤ操作情報の表示データを解釈して、画面上に表示する
ことを特徴とする。
【００１０】
本発明のＶＯＤ操作情報の表示方法において、前記端末識別番号の通知と前記ＶＯＤ操作情報の表示データの取得、及び取得した前記ＶＯＤ操作情報の表示データの解釈と画面への表示は、前記デジタルテレビ受信機に備えられたＨＴＭＬ（Ｈｙｐｅｒ Ｔｅｘｔ Ｍａｒｋｕｐ Ｌａｎｇｕａｇｅ）ブラウザを用いて行うことが好ましい。
【００１１】
また、本発明のＶＯＤ操作情報の表示方法において、
（ｃ）前記デジタルテレビ受信機に備えられたＶＯＤサービス受信ミドルウェアは、ＶＯＤサービスの映像再生状態を前記ＨＴＭＬブラウザに通知し、
（ｄ）前記ＨＴＭＬブラウザは、前記ＶＯＤ操作情報の表示データに記述されたスクリプト言語の機能を用いて、前記映像再生状態に応じたアイコン情報を、前記デジタルテレビ受信機の画面上に表示することが好ましい。
【００１２】
同様に、本発明のＶＯＤ操作情報の表示方法において、
前記ＶＯＤ操作情報の表示データには、前記ＶＯＤサービスで利用可能な操作に関する情報が記述されており、
（ｅ）前記ＨＴＭＬブラウザは、前記デジタルテレビ受信機の画面に、前記ＶＯＤサービスで利用可能な操作方法を表示するとともに、前記ＶＯＤサービス受信ミドルウェアに対して、前記ＶＯＤサービスで利用可能な操作に関する情報を通知し、
（ｆ）前記ＶＯＤサービス受信ミドルウェアは、前記ＶＯＤサービスで利用可能な操作に関する情報に基づき、前記ＶＯＤ配信センタに対して、ＶＯＤ映像操作を実行することが好ましい。
【００１３】
また、本発明のデジタルテレビ受信機は、
ＶＯＤ映像配信機能を備えたＶＯＤ配信センタ、及びＶＯＤ操作情報の表示データを提供するＷｅｂサーバと共にＶＯＤサービスシステムを構成するデジタルテレビ受信機であって、
（ａ）画面の表示を制御する画面表示制御ソフトと、
（ｂ）通信網を介し、前記ＶＯＤ配信センタ及び前記Ｗｅｂサーバとの間でデータの転送を行う通信ソフトと、
（ｃ）前記Ｗｅｂサーバにデジタルテレビ受信機の端末識別情報を通知すると共に、前記Ｗｅｂサーバから取得したＶＯＤ操作情報の表示データを解釈し、前記画面に表示するＨＴＭＬブラウザと、
（ｄ）ＶＯＤサービスの映像コンテンツの再生状態を管理するＶＯＤサービス受信ミドルウェアとを備え、
これらのソフトウェアによってハードウェアを制御することにより、前記画面上にＶＯＤ操作情報を表示することを特徴とする。
【発明の効果】
【００１４】
本発明の表示方法によれば、画面に表示する情報を、ＶＯＤサービスプロバイダ毎に変更することが可能となる。また、各ＶＯＤサービスプロバイダの操作体系（早送り、巻戻しなど）に応じて、画面に表示する情報を柔軟に変更することが可能となる。更に、ユーザのＶＯＤ操作によって、映像が早送りや巻戻し状態になったときには、それらの映像再生状態を示すアイコン情報をテレビ画面上に表示することが可能となる。
【発明を実施するための最良の形態】
【００１５】
以下、本発明の実施の形態について、図面を参照しながら説明する。
本実施の形態では、ＩＰ通信網を介して接続されたＶＯＤ配信センタのビデオサーバから、ＶＯＤサービスを受信する機能を搭載したデジタルテレビ受信機が、ＨＴＭＬブラウザを用いて、画面上にＶＯＤ操作情報を表示する方法について説明する。
【００１６】
図１は、本実施の形態におけるＶＯＤサービスシステムの構成図である。図１において、デジタルテレビ受信機１００は、ホームルータ２００を介して、アクセス網３００に接続され、ユーザからのビデオ視聴リクエストに応じて、ＶＯＤ配信センタ７００内のビデオサーバ７０１に対して、ビデオ配信リクエストを送信する。
【００１７】
ビデオサーバ７０１は、オンデマンドで映像コンテンツを配信し、デジタルテレビ受信機１００で受信・再生される。アクセス網３００は、ＩＳＰ（Ｉｎｔｅｒｎｅｔ Ｓｅｒｖｉｃｅ Ｐｒｏｖｉｄｅｒ）４００を介してインターネット５００に接続されており、デジタルテレビ受信機１００は、インターネット上のＷｅｂサーバ６００とも通信可能な構成となっている。
【００１８】
図２は、本発明で求められる各機能を実現するためデジタルテレビ受信機に備えられたソフトウェアの構成図である。デジタルテレビ受信機１００のソフトウェアは、通信ソフト１０１、ＨＴＭＬブラウザ１０２、ＶＯＤサービス受信ミドルウェア１０３、及び画面表示制御ソフト１０４を含み、これらの各ソフトウェアを構成するプログラムがデジタルテレビ受信機１００のＲＯＭに記憶されており、これらのプログラムをＲＡＭに読み出し、ＣＰＵで実行することによって関連するハードウェアを制御し、それぞれの機能を実現している。
【００１９】
これらのソフトウェアのうち通信ソフト１０１は、ＴＣＰ/ＩＰプロトコルに従い、データの転送を行うために用いられる。ＨＴＭＬブラウザ１０２は、通信ソフト１０１を利用し、Ｗｅｂサーバ６００からＨＴＭＬコンテンツを取得するとともに、取得したＨＴＭＬコンテンツを解釈し、画面上に表示するために用いられる。ＶＯＤサービス受信ミドルウェア１０３は、ＶＯＤサービスの映像コンテンツの再生状態を管理し、通信ソフト１０１を利用して、ビデオサーバ７０１にコマンドを送信することにより、映像コンテンツの送信開始、送信停止、特殊再生などの映像制御を実現するために用いられる。また画面表示制御ソフト１０４は、デジタルテレビ受信機１００の画面表示を制御するために用いられる。
【００２０】
図３は、図２の画面表示制御ソフト１０４によって表示される画面の構成を示したものであり、画面に表示されるデータを保持するプレーンとして、動画プレーン１１１と静止画プレーン１１０を備えている。動画プレーン１１１は、映像コンテンツの表示データを保持するプレーンであり、デジタル放送コンテンツやＶＯＤ映像コンテンツは動画プレーン１１１に表示される。一方、静止画プレーン１１０は、テキストや画像などの静止画データの表示データを保持するプレーンであり、データ放送コンテンツやＨＴＭＬコンテンツは静止画プレーン１１０に表示される。デジタルテレビ受信機１００は、画面上に動画プレーン１１１と静止画プレーン１１０を重畳して表示することが可能となっている。これらの表示プレーンは、デジタル放送に対応したデジタルテレビ受信機の標準仕様として規定されているものである。
【００２１】
次に、本実施の形態において、ＶＯＤサービスの映像が再生されるまでの処理の流れを説明する。
ユーザがＶＯＤサービスを利用する場合、まずＨＴＭＬブラウザ１０２を用いてＷｅｂサーバ６００にアクセスし、ＶＯＤコンテンツの一覧をデジタルテレビ受信機１００の画面に表示する。この時点では、静止画プレーン１１０が動画プレーン１１１の前面に覆いかぶさるかたちで表示されているため、ユーザには、静止画プレーン１１０に表示されたＨＴＭＬブラウザ１０２の表示画面が見える。
【００２２】
ユーザがコンテンツ一覧のなかからＶＯＤコンテンツを選択すると、ＨＴＭＬブラウザ１０２は、そのＶＯＤコンテンツの再生に必要なパラメータ情報を記述したＨＴＭＬコンテンツを取得する。図４に、再生パラメータ情報をObjectタグを用いて記述したＨＴＭＬコンテンツの例を示す。
【００２３】
ＨＴＭＬブラウザ１０２は、取得したＨＴＭＬコンテンツを解釈し、図４の１０５に示すObjectタグに記述されたプラグインアプリケーション、ここではＶＯＤサービス受信ミドルウェア１０３を起動する。ＨＴＭＬブラウザ１０２は、ＶＯＤサービスの受信・再生が開始されると、画面表示制御ソフト１０４に指示を送り、静止画プレーン１１０を非表示化（透明化）する。その結果、動画プレーン１１１に表示されたＶＯＤコンテンツの再生画面がデジタルテレビ受信機１００の画面として表示されることになる。
【００２４】
次に、このようなデジタルテレビ受信機１００において、ＶＯＤ操作情報１２０を画面上に表示する方法について説明する。
ＶＯＤ操作情報１２０とは、ＶＯＤサービスを利用するにあたって、デジタルテレビ受信機１００の画面上に表示する必要のある情報を指す。受動的なサービスであるテレビ放送とは異なり、ＶＯＤサービスを利用するには、再生開始、早送り、巻戻し、一時停止といった視聴操作が必要であり、それらの操作ガイドを画面に表示する必要がある。また、ユーザの要求に応じて、ＶＯＤコンテンツのタイトル情報や、現在の再生状態（早送り状態、巻戻し状態）を表示することも必要である。
【００２５】
これらのＶＯＤ操作情報の表示データは、ＨＴＭＬコンテンツとして記述することにより、ＨＴＭＬブラウザ１０２を用いて、デジタルテレビ受信機１００に表示することが可能である。本実施の形態では、プラグインアプリケーションをObjectタグで記述したＨＴＭＬコンテンツにＶＯＤ操作情報１２０を記述する。
【００２６】
ＨＴＭＬブラウザ１０２は、Ｗｅｂサーバ６００にアクセスする際に、デジタルテレビ受信機１００の端末識別情報をＷｅｂサーバ６００に通知する。通知方法は、例えば、ＨＴＴＰのヘッダに端末識別情報を書き込むことが考えられる。Ｗｅｂサーバ６００は、その端末識別情報に基づき、デジタルテレビ受信機１００に適したＶＯＤ操作情報１２０を記述したＨＴＭＬコンテンツを生成して送信する。ＨＴＭＬブラウザ１０２は、受信したＨＴＭＬコンテンツを解釈し、デジタルテレビ受信機１００の画面上にＶＯＤ操作情報１２０を表示する。
【００２７】
このようなＶＯＤ操作情報の表示方法によれば、ＶＯＤサービスのプロバイダ毎に異なるＶＯＤ操作情報を、デジタルテレビ受信機１００に表示することが可能となる。
端末識別情報として、デジタルテレビ受信機１００のメーカーあるいは機種情報を用いてもよい。この場合、ＶＯＤサービスプロバイダは、各メーカー毎に異なるユーザインタフェースをユーザに提供することが可能となる。また、新機種で新たなユーザインタフェースを追加した場合にも柔軟に対応することが可能である。
【００２８】
また端末識別情報として、ユーザの契約状況に関する情報を用いてもよい。この場合、有料サービスの契約ユーザと未契約ユーザに対して、異なるユーザインタフェースを提供することが可能である。
【００２９】
次に、ＶＯＤサービスの映像コンテンツの再生状態を、ＨＴＭＬコンテンツおよびＨＴＭＬブラウザ１０２を用いて表示する方法について説明する。
本実施の形態では、映像コンテンツの再生状態が、再生状態、一時停止状態、早送り状態、巻戻し状態の４状態からなるものとし、各状態に対して、再生状態を表すアイコン画像ファイルを対応づける。ＨＴＭＬコンテンツでは、位置と画像ファイルを指定することにより、所定の位置に画像ファイルを表示することができる。ＨＴＭＬコンテンツをクライアント側、すなわちＨＴＭＬブラウザ１０２で動的に書き換える手段として、一般にスクリプト言語が用いられる。スクリプト言語としては、例えばＪａｖａ（登録商標）Ｓｃｒｉｐｔ言語がある。
【００３０】
ＶＯＤサービスの映像コンテンツの再生状態は、ＶＯＤサービス受信ミドルウェア１０３が管理する。ユーザ操作により映像コンテンツの再生状態が変化すると、ＶＯＤサービス受信ミドルウェア１０３は、ＨＴＭＬブラウザ１０２に通知する。あるいは、ＨＴＭＬブラウザ１０２が定期的にＶＯＤサービス受信ミドルウェア１０３に再生状態を問い合わせてもよい。通知を受けたＨＴＭＬブラウザ１０２は、通知された再生状態の情報に基づき、対応するアイコン画像ファイルを表示するように、スクリプト言語を用いて、ＨＴＭＬコンテンツを書き換える。書き換えたＨＴＭＬコンテンツを再表示することによって、デジタルテレビ受信機１００の画面に現在の再生状態を示すアイコン画像が表示される。
【００３１】
次に、各ＶＯＤサービスで利用可能なＶＯＤ操作をＶＯＤ操作情報１２０として表示する方法について説明する。
ＶＯＤサービスでは、一般に早送りや一時停止などのトリックプレーが利用できるが、ＶＯＤサービスＡにおいては、多段階の早送りが可能であるが、ＶＯＤサービスＢでは一段階の早送りしか実行できないなど、ＶＯＤサービス毎に利用可能なＶＯＤ操作は異なると想定される。
【００３２】
ＨＴＭＬブラウザ１０２は、Ｗｅｂサーバ６００から取得したＶＯＤ操作情報１２０を表示するとともに、ＶＯＤサービス受信ミドルウェア１０３に対して、ＨＴＭＬで記述された、利用可能なＶＯＤ操作を通知する。ＨＴＭＬデータをそのまま通知してもよいし、ＶＯＤサービス受信ミドルウェア１０３が解釈しやすい形式のデータに変換して通知してもよい。ＶＯＤサービス受信ミドルウェア１０３は、通知された情報に基づき、ビデオサーバ７０１を制御することによって、ＶＯＤサービス毎に異なる操作体系に対応することが可能となり、また、画面上に表示されたＶＯＤ操作情報１０２とビデオサーバ制御を一致させることが可能となる。
【産業上の利用可能性】
【００３３】
本発明にかかるＶＯＤ操作情報の表示方法は、多様なコンテンツプロバイダの参入が予測されるＶＯＤサービスにおいて、デジタルテレビ受信機がこのようなＶＯＤサービスに対応してための柔軟なユーザインタフェースを提供するものであり、産業上有用である。
【図面の簡単な説明】
【００３４】
【図１】本発明の実施の形態におけるＶＯＤサービスシステムの構成図
【図２】本発明の実施の形態におけるデジタルテレビ受信機のソフトウェア構成図
【図３】本発明の実施の形態におけるデジタルテレビ受信機の画面の構成を示す図
【図４】本発明の実施の形態におけるＨＴＭＬコンテンツの例を示す図
【符号の説明】
【００３５】
１００  デジタルテレビ受信機
１０１  通信ソフト
１０２  ＨＴＭＬブラウザ
１０３  ＶＯＤサービス受信ミドルウェア
１０４  画面表示制御ソフト
１１０  静止画プレーン
１１１  動画プレーン
１２０  ＶＯＤ操作情報
２００  ホームルータ
３００  アクセス網
４００  ＩＳＰ
５００  インターネット
６００  Ｗｅｂサーバ
７００  ＶＯＤ配信センタ
７０１  ビデオサーバ
【図１】
2007166365.tif 000003
【図２】
2007166365.tif 000004
【図３】
2007166365.tif 000005
【図４】
2007166365.tif 000006